(57)【要約】  遠赤外線およびマイナスイオンを発する黒鉛珪石などの天然鉱石の微粒子を各種塗料に配合して得られた物質を楽器本体の所定箇所に塗着および／または蒸着させてなる楽器であって、演奏時にそれ自体或いは楽器が奏でる音域にあって遠赤外線やマイナスイオンを発することにより、演奏者自身あるいはその近くでかかる演奏を聴く者の心を和ませると同時に、遠赤外線やマイナスイオンの生理的作用をより効果的に人体に与えることによって、病気の自然治癒力や予防効果を高めることができるように工夫したもの。【特許請求の範囲】
【請求項１】
遠赤外線およびマイナスイオンを発する黒鉛珪石(ブラックシリカ)の微粒子を塗料に配合し、楽器本体の所定箇所に塗着および／または蒸着させたことを特徴とする楽器
【請求項２】
上記黒鉛珪石(ブラックシリカ)の微粒子は、重量比で炭素４〜６％、マグネシウム０．３５〜０．５５％、シリカ７０〜９０％、チタン１．０〜２．０％、二酸化鉄０．４〜０．６％、ナトリウム ０．０６〜０．１％、アルミニウム５〜８％、カリウム ０．８〜２．０％、カルシウム ０．０１〜０．０３％、水分０．２５〜０．４％の成分からなることを特徴とする上記請求項１に記載の楽器
【請求項３】
上記黒鉛珪石(ブラックシリカ)の微粒子は、常温にて遠赤外線の放射率が９０〜９９％で、生育光線、健康光線といわれる２ミクロン〜１８ミクロンの波長帯で放射されることを特徴とする上記請求項１または２に記載の楽器
【請求項４】
上記黒鉛珪石の微粒子の大きさは、１０ミクロン以下であることを特徴とする上記請求項１乃至３のいずれか１項に記載の楽器
【請求項５】
身体に抱え込んで使用することを特徴とする上記請求項１乃至４のいずれか１項に記載の楽器
【請求項６】
身体に密着させて使用することを特徴とする上記請求項１乃至５のいずれか１項に記載の楽器
【請求項７】
上記楽器がウクレレまたはマンドリンである、上記請求項１乃至６のいずれか１項に記載の楽器
【請求項８】
遠赤外線およびマイナスイオンを発する天然鉱石の微粒子を塗料に配合し、楽器本体の所定箇所に塗着および／または蒸着させたことを特徴とする楽器
【請求項９】
上記天然鉱石の微粒子は、常温にて遠赤外線の放射率が９０〜９９％で、生育光線、健康光線といわれる２ミクロン〜１８ミクロンの波長帯で放射されることを特徴とする上記請求項８に記載の楽器
【請求項１０】
上記天然鉱石の大きさは、１０ミクロン以下であることを特徴とする上記請求項８又は９に記載の楽器
【請求項１１】
身体に抱え込んで使用することを特徴とする上記請求項８乃至１０のいずれか１項に記載の楽器
【請求項１２】
身体に密着させて使用することを特徴とする上記請求項８乃至１１のいずれか１項に記載の楽器
【請求項１３】
上記楽器がウクレレまたはマンドリンである、上記請求項８乃至１２のいずれか１項に記載の楽器
【発明の詳細な説明】
【技術分野】
【０００１】
本発明は、各種楽器の一般的な塗装技術に改良を加えた新規な発明に関する。
【背景技術】
【０００２】
このような分野の発明にあって、例えば鍵盤楽器に付されるマークが、経時的な腐食および錆の発生を、確実に防止する目的でなされたものがある。
それは、塗装膜を形成した鍵盤蓋の裏面に設けられる鍵盤楽器の鍵盤蓋マークにあって、かかる鍵盤マークを構成する所定の形状を有し、鍵盤蓋の裏面の塗装膜に埋め込まれた真鍮製のマークビスと、その表面にコーティングされかつ外部に露出する透明塗装膜を備えたものである。（特許文献１参照）【０００３】
また、特に近時マウスピースの改良として、軽量で錆びることがなく、しかも従来とは異なる音色を得られるマウスピースが案出されている。このマウスピースは、たとえばチタンまたはチタン合金、あるいはジルコニュウムまたはジルコニュウム合金を材料として形成させたことにより軽量で錆びることがなく、吸水性にすぐれまた重量を軽減することができ、しかも重量バランスの良い楽器を提供でき、さらに真鍮で製造された従来のマウスピースとは異なる音色を出すことができる。この結果、他の演奏者との差別性を高めることが出来るとある。（特許文献２参照）【０００４】
しかし、この種の発明はいずれも単なる錆び止の手段か、製品自体の耐久性を向上させる技術であって、楽器の演奏中当該演奏者自身の「気分を和ませ」名演奏ができる雰囲気を作ることが可能な発明は皆無であった。【０００５】
【特許文献１】特開２００１−９２４４５公報
【特許文献２】特開平５−１２７６６５公報
【発明の開示】
【発明が解決しようとする課題】
【０００６】
而して本発明は、楽器それ自体あるいは楽器が奏でる音域にあって、演奏者自身あるいはその近くで、かかる演奏を聴く者の心を和ませ、演奏者或いは聴く者を平たい言葉でいえば「ゆったり」した気分にさせる雰囲気で演奏できるように工夫したものである。
【課題を解決するための手段】
【０００７】
本発明の主な特徴は、かかる各楽器自身に遠赤外線およびマイナスイオンを発する天然鉱石、例えば、天然の黒鉛珪石（通称ブラックシリカ）を含む物質を塗布し、遠赤外線を発する作用およびマイナスイオンを発する作用を付加することにより、上記の目的が達せられることを度重なる実験の結果見いだし、かかる黒鉛珪石などの天然鉱石素材を楽器の共鳴箇所あるいは楽器全体に利用したことである。【０００８】
イオンは電気を帯びている小さな物質で、その大きさは１／１０００ｍｍと言われ、肉眼ではもちろん、一般の顕微鏡でさえ見ることの出来ない微粒子である。そしてこのごくごく小さな物質には、プラスの電気を帯びたもの（プラスイオン）とマイナスの電気を帯びたもの（マイナスイオン）の二種類があり、お互いに結びついてさまざまな物質を作っているのである。【０００９】
そして人間は、細胞の新陳代謝によって生命を維持しているほかに、呼吸を通して自然界に存在しているイオンを摂取する機能をもっており、摂取されたイオンは細胞へ運ばれ、細胞膜を介してイオン交換が行われるのである。
このイオン交換とは、すなわち細胞内の老廃物や炭酸ガスを出して、必要な酸素や栄養素を取り入れるシステムであり、そのイオンのバランスによって体のコンディションは大いに左右されるのであるが、現代社会は様々な形でプラスイオンの多い環境を作り出してしまったのである。【００１０】
具体的には、日々自動車がまき散らす排気ガスがその代表であり、これはプラスイオンを増殖させる最たるものである。そのほか、工場などから排出される各種の煤煙、汚染された河川や酸性雨、ゴミの焼却時に出るダイオキシン、農薬、各種食品添加物（化学物質）、毒性を持った新建材の接着剤（ホルムアルデヒド）、その他もろもろの日用品に使用される有機リン化合物質、宇宙の果てから放射されてくる放射線の類もプラスイオンを増やす元凶である。【００１１】
さらに、破壊されたオゾン層から降り注がれる紫外線も、プラスイオンを作り出す大きなファクターになっている。また、この数十年の間急速に普及したテレビやコンピュータ、電子レンジなどの各種電気、電子機器から放出される「電磁波」もプラスイオンの仲間であり、これらの重層的な影響で、マイナスイオンは激減し、プラスイオンばかりが目立って多い大気環境が作り出されたのであり、このようにしてわずかの間に空気中のイオンバランスは崩れてしまったのである。【００１２】
そんな中で、マイナスイオンの多い空気は、人体の酸化物をアルカリ性に中和して、細胞内に酸素と栄養素を吸収しやすくする。しかも老廃物を排出しやすくして細胞を活性化するのである。つまり、人体の生理作用を快調にするとともに、人間が本来持っている自然治癒力を高める働きがあるのである。【００１３】
マイナスイオンの環境への主な作用としては、具体的には、科学的・電気的・放射性物質などが原因の空気汚染を浄化すること、新建材などから室内に気化して出てくる有害物質（ホルムアルデヒド）などを浄化すること、タバコの煙や不快なにおいを分解・消臭すること、殺菌作用（ダニの死骸・糞）による空気汚染を防止すること、カビの発生防止や臭いの除去、小害虫（蝦・シロアリ）の侵入防止、鉢植え植物の成長を促進することなどが挙げられる。【００１４】
さらに、マイナスイオンには、人体組織を活性化して体内細胞の酸性物質（毒素）を排泄したり、アルカリ性に変えて血液の循環を高めたりする作用、細胞の活性化作用、血液の浄化作用、アレルギー体質の改善作用、鎮痛作用など、生体作用に抜群の効果がある。【００１５】
即ち、マイナスイオンの人体への作用効果としては、血管が拡張され、血圧は正常になり、血液はアルカリ性傾向となり、骨は丈夫になる、などが知られているのである。また利尿作用が促進され、呼吸は静減し楽になり、脈拍を減少させ、疲労の回復を促進させる、自律神経機能を鎮静化する、発育を促進し良好なものとするなど、現代生活を送るに当たって良いことずくめなのである。【００１６】
よりよく理解するために、「安眠」を例にとったマイナスイオン効果について述べると、かかるマイナスイオンを身体に受入れる（マイナスイオンの雰囲気にいること）ことにより、酸化した体内が還元され、気分が穏やかになる。また沈静効果によって、興奮した神経も休まり、グッスリ眠れるのである。そして当然のことながら、安眠はストレスの解消にもつながり副交感神経活性の働きを助けるのである。【００１７】
上記の目的を達成するために本発明のなした手段は、遠赤外線およびマイナスイオンを発する天然黒鉛珪石などの天然鉱石を熱硬化性樹脂などに混合して得られた物質を、楽器本体の所定箇所に塗着および／または蒸着させたことを特徴とするものである。【００１８】
これによって、上記のように例えば当該楽器の演奏者の精神を安定させることになるのであり、かかるマイナスイオンによって気持ちを落ち着かせ、幸せ感を増幅させるベーター・エンドルフィンを活性化させ、そして脳内ベーター・エンドルフィンは、精神安定に作用し免疫力を高めるのである。【００１９】
この外、マイナスイオンの自律神経調整作用としては、不眠、頭痛、ゼンソク、リウマチ、肩凝り、腰痛、慢性疲労、神経痛、イライラなど、プラスイオンが演奏活動等に悪い影響を及ぼしている点で、かかるマイナスイオンは自律神経のバランスをとり、頭脳は沈着冷静、手足は楽器を操作するのに充分なほどに暖かい、即ち「頭寒足熱」の健康的な体の状態に保ち改善することができるのである。【００２０】
また、この時に、血液の浄化作用がはたらき、健全な抵抗力のある弱アルカリ性の健康な血液に中和するという作用をなすのである。
特に、ウクレレやマンドリンなどの身体に抱え込むタイプの楽器、あるいは身体への密着度の高い楽器に本発明の塗装材を使用した場合は、より大きな血液浄化作用などの予防的効果が期待できる。【００２１】
本発明によれば、このように優れたマイナスイオンを放射する物質を、楽器本体の所定箇所に塗着および／または蒸着させることにより、楽器本体から音（音波）が発生する時の振動、あるいは人体との接触により、演奏と同時にマイナスイオンが誘発される。
加えて本願の本発明者は、本発明で使用される黒鉛珪石などの天然鉱石が、かかるマイナスイオンを発するのと同時に、優れた遠赤外線を発生することを先に見いだした。【００２２】
以上の知見をもとに、本発明においては、上記の黒鉛珪石などの天然鉱石は、少しの振動をあたえることにより、その周囲に遠赤外線やマイナスイオンを放射するという事実に鑑みて、この粉末を熱硬化性樹脂などに配合し、楽器表面に塗布する塗装材とした。
本発明に使用される黒鉛珪石などの天然鉱石の粉末すなわち微粒子は、その平均粒径が１０ミクロン以下であることが好ましい。平均粒径が小さければ小さいほど、より大きな遠赤外線やマイナスイオン放射効果が期待でき、塗布剤として楽器に使用した際の表面の仕上がりが滑らかになる。
なお、本発明において使用される遠赤外線およびマイナスイオンを発する天然鉱石としては、黒鉛珪石（ブラックシリカ）の他、ゲルマニウム、ラジウム、トルマリンなどを挙げることができる。
以下、本発明の例示的態様を示す。
（１）遠赤外線およびマイナスイオンを発する黒鉛珪石(ブラックシリカ)の微粒子を塗料に配合し、楽器本体の所定箇所に塗着および／または蒸着させたことを特徴とする楽器である。
（２）上記黒鉛珪石(ブラックシリカ)の微粒子は、重量比で炭素４〜６％、マグネシウム０．３５〜０．５５％、シリカ７０〜９０％、チタン１．０〜２．０％、二酸化鉄０．４〜０．６％、ナトリウム ０．０６〜０．１％、アルミニウム５〜８％、カリウム ０．８〜２．０％、カルシウム ０．０１〜０．０３％、水分０．２５〜０．４％の成分からなることを特徴とする（１）に記載の楽器である。
（３）上記黒鉛珪石(ブラックシリカ)の微粒子は、常温にて遠赤外線の放射率が９０〜９９％で、生育光線、健康光線といわれる２ミクロン〜１８ミクロンの波長帯で放射されることを特徴とする（１）および（２）に記載の楽器である。
（４）上記黒鉛珪石の微粒子の大きさは、１０ミクロン以下であることを特徴とする（１）〜（３）に記載の楽器である。
（５）身体に抱え込んで使用することを特徴とする（１）〜（４）に記載の楽器である。
（６）身体に密着させて使用することを特徴とする（１）〜（５）に記載の楽器である。
（７）上記楽器がウクレレまたはマンドリンである（１）〜（６）に記載の楽器である。
（８）遠赤外線およびマイナスイオンを発する天然鉱石の微粒子を塗料に配合し、楽器本体の所定箇所に塗着および／または蒸着させたことを特徴とする楽器である。
（９）上記天然鉱石の微粒子は、常温にて遠赤外線の放射率が９０〜９９％で、生育光線、健康光線といわれる２ミクロン〜１８ミクロンの波長帯で放射されることを特徴とする（８）に記載の楽器である。
（１０）上記天然鉱石の大きさは、１０ミクロン以下であることを特徴とする（８）および（９）に記載の楽器である。
（１１）身体に抱え込んで使用することを特徴とする（８）〜（１０）に記載の楽器である。
（１２）身体に密着させて使用することを特徴とする（８）〜（１１）に記載の楽器である。
（１３）上記楽器がウクレレまたはマンドリンである（８）〜（１２）に記載の楽器である。
【図面の簡単な説明】
【００２３】
【図１】樹脂板（不飽和ポリエステル樹脂と黒鉛珪石の粉末の重量比が６７：３３）に関する３５℃においての遠赤外線の放射率測定グラフ。
【図２】樹脂板（不飽和ポリエステル樹脂と黒鉛珪石の粉末の重量比が６７：３３）に関する３５℃においての遠赤外線の放射強度測定グラフ。
【図３】同樹脂板（不飽和ポリエステル樹脂と黒鉛珪石の粉末の重量比が６７：３３）に関する常温においてのマイナスイオンの推移測定グラフ。
【図４】楽器の分類説明図。
【図５】開放されたグランドピアノの平面図。
【図６】振動部材の部分断面説明図。
【図７】開放された縦型ピアノの斜視図。
【図８】振動部材の部分断面説明図。
【図９】ハープの斜視図。
【図１０】振動部材の部分断面説明図。
【図１１】バイオリンと弓の正面図。
【図１２】振動部材の部分断面説明図。
【図１３】ギターの正面図。
【図１４】振動部材の部分断面説明図。
【図１５】アコーディオンの斜視図。
【図１６】振動部材の部分断面説明図。
【図１７】木琴の斜視図。
【図１８】バーの拡大斜視図。
【図１９】振動部材の部分断面説明図。
【図２０】各種ドラムの拡大斜視図。
【図２１】振動部材の部分断面説明図。
【図２２】各種管楽器の斜視図。
【図２３】ウクレレの正面図。
【図２４】振動部材の部分断面説明図。
【図２５】マンドリンの正面図。
【図２６】振動部材の部分断面説明図。
【発明を実施するための最良の形態】
【００２４】
以下、本発明で使用される天然鉱石として黒鉛珪石、合成樹脂として不飽和ポリエステル樹脂を用いた実施例により本発明を具体的に説明するが、本発明の範囲はそれらに限定されるものではない。
この発明に使用される黒鉛珪石は、北海道の上の山町で天然に産し、その組成は、重量比にして炭素４〜６％、マグネシウム０．３５〜０．５５％、シリカ７０〜９０％、チタン１．０〜２．０％、二酸化鉄０．４〜０．６％、ナトリウム ０．０６〜０．１％、アルミニウム５〜８％、カリウム ０．８〜２．０％、カルシウム ０．０１〜０．０３％、水分０．２５〜０．４％である。また、物理・化学特性として、無機質、弱酸性（Ｐｈ５．５  〜７．５）、不燃性、耐水性、耐磨耗性（硬度７．０〜７．５）、赤外線の高吸収性、脆弱性、導電性を有している。【００２５】
この黒鉛珪石を合成樹脂に配合する手段は、不飽和ポリエステル樹脂（積層用樹脂）に黒鉛珪石の粉末を混練し均一に分散させたものである。
次に成形方法の一例を説明すると、離型剤を塗布したガラス板を型として、その表面に不飽和ポリエステル樹脂系のゲルコートを吹き付けて硬化させる。ゲルコートの硬化後、上記黒鉛粉末を混練した積層用樹脂を使用してチョップドストランドマット♯４５０を４プライ積層し、６０℃、２時間で加熱硬化させる。そして、室温冷却後に脱型する。【００２６】
上記配合・成形方法において、不飽和ポリエステル樹脂と黒鉛珪石の粉末の重量比が６７：３３となるようにそれぞれ配合して混練・成形した樹脂板（縦５ｃｍ×横５ｃｍ×厚さ０．５ｃｍ）の３５℃における遠赤外線放射率および放射強度を、遠赤外線応用研究会（大阪市）において測定装置（神戸電波製ＩＯＮ  ＴＥＳＴＥＲ  ＫＳＴ−９００）を使用して測定した結果は図１・２に示すとおりである。これにより、黒鉛珪石を含んだ樹脂板が、常温において、遠赤外線を放射することを確認した。
さらに、上記配合・成形方法において、不飽和ポリエステル樹脂と黒鉛珪石の粉末の重量比が６７：３３となるようにそれぞれ配合して混練・成形した樹脂板（縦５ｃｍ×横５ｃｍ×厚さ０．５ｃｍ）の常温におけるマイナスイオンの推移を、遠赤外線応用研究会（大阪市）において測定装置（神戸電波製ＩＯＮ  ＴＥＳＴＥＲ  ＫＳＴ−９００）を使用して測定した結果は図３に示すとおりである。これにより、黒鉛珪石を含んだ樹脂板が、常温において、マイナスイオンを放射することを確認した。【００２７】
このように、本発明の樹脂は、常温で遠赤外線放射機能を有する黒鉛珪石を配合したため、黒鉛珪石の遠赤外線放射機能によって樹脂全体から常温で遠赤外線が放射される。  
よって、この樹脂を使用すれば、常温において、樹脂成形品、塗料、接着剤、その他樹脂の一般的な使用態様において簡易に遠赤外線の効能を享受することができる。【００２８】
図５以下では、本発明によって得られた天然黒鉛珪石と、熱硬化性樹脂を混合してできた配合材（１）を、多種類の楽器本体の音響振動部材の表面あるいは裏面に、刷毛で塗布するか、あるいはスプレーガンのような器具で塗布するか、または静電塗装のような熔着などの手段で塗着する実施例を示す。【００２９】
なお、この場合例えば図５のように音響振動部材が、楽器本体内に収容されているような場合は、かかる楽器本体も音響振動部材であることから、かかる部位にも上記配合材（１）を塗布することになる。【００３０】
また、この実施例で示される音響振動部材はあらゆる楽器に適用されるものであって、本発明の技術的範疇はこれらすべての楽器を含むものである。【００３１】
楽器の分類としては図４に示すように、１９１４年に発表された、エ一リッヒ・ホルンボステル（Ｅｒｉｃｈ  ｖｏｎ  Ｈｏｒｎｂｏｓｔｅｌ）とクルト・ザックス（Ｃｕｒｔ  Ｓａｃｈｓ）の体系によって知ることができる。この「五分類法」は、楽器をその発音の方法に従って分類するもので、今日国際的に音楽学者によって広く採用されているものである。なお、この分類に含まれていない、三味線や琴など我が国特有の楽器にも、本発明は適用できる。
【実施例１】
【００３２】
図５は、現代のグランドピアノの代表的な細部であり、（１０１）はヒッチピン、（１０２）はバスブリッジ、（１０３）は響き板、（１０４）はロングブリッジ、（１０５）は１本弦、（１０６）は２本弦、（１０７）は３本弦、（１０８）はダンパ、（１０９）はレストピンである。【００３３】
特に、本発明によって得られた天然黒鉛珪石と熱硬化性樹脂を混合してできた配合材（１）を、上記響き板（１０３）に塗布することが肝要であるが、図６に示すように楽器本体の筺体（１１０）も音響振動部材であることから、その表面あるいは裏面に塗装することもよい。【００３４】
通常、グランドピアノの大きさは１６８〜１７８ｃｍの長さであり、客間用あるいは居間用のものは１８０〜２１０ｃｍ、コンサート用は、２１０〜２７０ｃｍの長さがある。
従って配合材（１）を塗布したピアノの演奏中は、ピアノ本体から遠赤外線とマイナスイオンが常に放射され周囲は和やかな雰囲気となって、その演奏が所謂上手に弾くことができ、これを聴く者にとっても最高の良い気分が味わえるというものである。【００３５】
また、特にコンサート用のクランドピアノは、開けた蓋が響きを反射し、また響板下の床が響きを反射する構造となっていることから、かかる蓋にも配合材（１）を塗布する必要があり、当然のことながら鍵盤そのものにも配合材（１）を塗布することが好ましい。
【実施例２】
【００３６】
図７は縦型ピアノで、これは１８２５年にバブコック（Ａｌｐｈｅｕｓ  Ｂａｂｃｏｃｋ）によって創案されたワンピース鉄製フレームの例であり、（２０１）はチュウニングピン、（２０２）はフレーム、（２０３）はブリッジ、（２０４）は３本弦、（２０５）は２本弦、（２０６）は１本弦、（２０７）はソフトペダル、（２０８）はサステニングペダル、（２０９）は低音弦、（２１０）はブリッジ、（２１１）は響き板である。【００３７】
特に本発明の配合材（１）を上記響き板（２１１）に塗布することが肝要であるが、図８に示すように楽器本体の筺体（２１２）も音響振動部材であることから、その表面あるいは裏面に塗装することも肝要である。
【実施例３】
【００３８】
図９はハープ特にオーケストラ・ハープを図示したもので、（３０１）は支柱、（３０２）は台座、（３０３）はネック、（３０４）は調律釘、（３０５）はディスク、（３０６）は弦、（３０７）は響き板、（３０８）はペダル、（３０９）は脚である。【００３９】
特に本発明の配合材（１）を図１０に示すように上記響き板（３０７）に塗布することが肝要であるが、ハープ本体の支柱（３０１）なども音響振動部材であることから、その表面あるいは裏面に塗装することもよい。
【実施例４】
【００４０】
図１１はバイオリンを図示したもので、（４０１）は渦巻き、（４０２）は糸倉、（４０３）は糸巻、（４０４）は指板、（４０５）は弦、（４０６）は響き板、（４０７）は駒、（４０８）は響き孔、（４０９）はＥ線調整器（４１０）は緒止め板、（４１１）は顎宛、であり、以下は弓で（４１２）はその弓先、（４１３）は弓身、（４１４）は毛、（４１５）は毛留め、（４１６）は側板である。【００４１】
特に本発明の配合材（１）を図１２に示すように上記響き板（４０６）に塗布することが肝要であるが、この場合指板（４０４）なども音響振動部材であることから、その表面あるいは裏面に塗装する。特にバイオリンの場合は、バイオリンの内部の駒の右脚の下に取りつけられた魂柱は、バイオリンの裏板に振動を伝え、力木は胴の裏側に「にかわ」づけされており、胴を強化し振動を拡散させることから、特にバイオリンの裏面にも配合材（１）を塗布する必要がある。なお、（４１６）は側板である。【００４２】
さらに弓では、その弓身（４１３）および可能なら毛（４１４）にも塗布することで、この弓や指板（４０４）からも遠赤外線およびマイナスイオンが発散することになるのである。
【実施例５】
【００４３】
図１３はギターを図示したもので、（５０１）はマシーンヘッド、（５０２）は糸巻、（５０３）はナット、（５０４）は指板、（５０５）はフレット、（５０６）は響き孔、（５０７）は響き板、（５０８）弦、（５０９）は駒、（５１０）は側板である。【００４４】
特に本発明の配合材（１）を図１４に示すように上記響き板（５０７）に塗布することが肝要であるが、指板（５０４）なども音響振動部材であることから、その表面あるいは裏面に塗装する。なお、（５１０）は側板である。【００４５】
またギターは、クラシックギターやアコースティックギターなどとして区別され、今日世界各地で非常な人気を集めている。どんな音楽にもよく合い、軽くて持ち運びも簡単なため、独奏ばかりでなく歌やほかの楽器の伴奏にも使われる理想的な楽器である。クラシック（スパニッシュ）ギターは１６世紀以来ほとんど変化していないが、ポピュラーなアコースティック・ギター（フォーク・ギター）は現在多種多様なスタイルで生産されている。これらのうち、何れのギターでも本発明を実施できる。
【実施例６】
【００４６】
図１５はアコーディオンを図示したもので、（６０１）はふいご、（６０２）は鍵盤、（６０３）は高音レジスタ、（６０４）は低音レジスタ、（６０５）はバスボタンである。【００４７】
近代アコーディオンとして代表的なボタン式アコーディオンは、４１の鍵盤と１１個の高音レジスタ、マスタカプラー、１２０個のバスボタン、７個の低音レジスタをもった複雑なものであり、初心者向けの小さなピアノ鍵盤式アコーディオンは２５の鍵盤と１２の低音がついている。【００４８】
本発明はいかなるアコーディオンにも適応でき、特に本発明の配合材（１）を、図１６に示すように上記ふいご（６０１）に塗布することが肝要である。かかるふいご（６０１）はその演奏中、常に強制的に膨張、縮小の動作が繰返し行われており、特にマイナスイオンを発生させる最適な条件を備えているのである。【００４９】
また、鍵盤（６０２）は勿論、高音レジスタ（６０３）および低音レジスタ（６０４）、さらにはバスボタン（６０５）にも塗布したいものである。
【実施例７】
【００５０】
図１７は近代オーケストラ用の木琴で、ザイロフォン、シロフォンとも呼ばれる最も整音された打楽器である。これは木製のバー（７０１）の下に、それぞれ金属製の共鳴管（７０２）を備えており、３乃至４オクターブの音域をもち、いろいろな形のばちで演奏するものである。【００５１】
特に本発明の配合材（１）を、図１８および図１９に示すように上記木製バー（７０１）と共鳴管（７０２）塗布することが肝要である。また、可能なら図示しない「ばち」にも塗布するとよい。かかる上記木製バー（７０１）と共鳴管（７０２）はその演奏中、常に振動が繰返し行われており特にマイナスイオンを発生させる最適な条件を備えている。
【実施例８】
【００５２】
図２０は膜鳴楽器の一般的な種類を示したものである。膜鳴楽器とは張られた膜あるいは皮の振動によって音が作り出される楽器であり、一般にはドラム類を指す。【００５３】
この膜鳴楽器にはドラム型とミルリトン型の二つの基本型があり、ドラムは形によってさらに筒型、鉢型、枠型に分類される。摩擦によって鳴らされるドラムは、別の種類として分類され、筒型ドラムは円筒型、円錐型、樽型、砂時計型など、その形によって分類される。【００５４】
図２０は胴の形によって分類されたもので、直線的な側面をした円筒型（８０１）、傾斜した側面の円錐型（８０２）、ふくらんだ側面の樽型（８０３）、またひときわ洗練された形の砂時計型（８０４）がある。【００５５】
またゴブレット型（８０５）や、通常ドラムの本体から刻み出された足をもった足つきドラム（８０６）、その長さに特徴のある長胴型ドラム（８０７）、そして皮が軽い枠に張られている枠型ドラム（８０８）などさまぎまである。これらのうち、何れの形でも本発明を実施することができる。【００５６】
特に本発明の配合材（１）を、図２１に示すようにそれぞれのドラムに張設された皮（８０９）と胴（８１０）の部分に塗布することが肝要である。また可能なら図示しない「ばち」にも塗布するとよい。かかる皮（８０９）と胴（８１０）はその演奏中、常に振動や共鳴が繰返し行われており、特にマイナスイオンを発生させる最適な条件を備えているのである。
【実施例９】
【００５７】
図２２は特に金属製の管楽器の一例で（９０１）はソプラノサクソフォン、（９０２）はテナーサクソフォン、（９０３）はフルートであり、（９０４）はフルート（９０３）の吹口、（９０５）は頭部管、（９０６）は本管、（９０７）は足部管である。
管楽器には沢山の種類があるが、本発明はいずれのものにも適応できる。【００５８】
本発明の配合材（１）をそれぞれの管楽器の外表面全体と、フルート（９０３）で説明すればその吹口（９０４）、頭部管（９０５）、本管（９０６）、足部管（９０７）にも塗布する必要がある。
【実施例１０】
【００５９】
図２３はウクレレを図示したもので、（１００１）は響き孔（サウンドホール）、（１００２）は表板、（１００３）は側板である。
特に本発明の配合材（１）を図２４に示すように上記表板（１００２）、響き板（１００３）などの音響振動部材に塗布することが肝要である。なお、（１００３）は側板である。
【実施例１１】
【００６０】
図２５はマンドリンを図示したもので、（１１０１）は響き孔（サウンドホール）、（１１０２）は表板、（１１０３）は側板である。
特に本発明の配合材（１）を図２６に示すように上記表板（１１０２）、響き板（１１０３）などの音響振動部材に塗布することが肝要である。なお、（１１０３）は側板である。【００６１】
総じて本発明の遠赤外線およびマイナスイオンを放射する黒鉛珪石などの天然鉱石を塗布した楽器は、演奏時にそれ自体或いは楽器が奏でる音域にあって遠赤外線やマイナスイオンを発することにより、演奏者自身あるいはその近くでかかる演奏を聴く者の心を和ませると同時に、遠赤外線やマイナスイオンの生理的作用をより効果的に人体に与えることによって、病気の自然治癒力や予防効果を高めることができるのである。
【符号の説明】
【００６２】
１、配合材
１０１、ヒッチピン
１０２、バスブリッジ
１０３、響き板
１０４、ロングブリッジ
１０５、１本弦
１０６、２本弦
１０７、３本弦
１０８、ダンパ
１０９、レストピン
１１０、筺体
２０１、チュウニングピン
２０２、フレーム
２０３、ブリッジ
２０４、３本弦
２０５、２本弦
２０６、１本弦
２０７、ソフトペタル
２０８、サステニングペタル
２０９、低音弦
２１０、ブリッジ
２１１、響き板
２１２、筺体
３０１、支柱
３０２、台座
３０３、ネック
３０４、調律釘
３０５、ディスク
３０６、弦
３０７、響き板
３０８、ペダル
３０９、脚
４０１、渦巻き
４０２、糸倉
４０３、糸巻
４０４、指板
４０５、弦
４０６、響き板
４０７、駒
４０８、響き孔
４０９、Ｅ線調整器
４１０、緒止め板
４１１、顎宛
４１２、弓先
４１３、弓身
４１４、毛
４１５、毛留め
４１６、側板
５０１、マシーンヘッド
５０２、糸巻
５０３、ナット
５０４、指板
５０５、フレット
５０６、響き孔
５０７、響き板
５０８、弦
５０９、駒
５１０、側板
６０１、ふいご
６０２、鍵盤
６０３、高音レジスタ
６０４、低音レジスタ
６０５、バスボタン
７０１、木製のバー
７０２、共鳴管
８０１、円筒型
８０２、円錐型
８０３、樽型
８０４、砂時計型
８０５、ゴブレット型
８０６、足つきドラム
８０７、長胴型ドラム
８０８、枠型ドラム
８０９、皮
８１０、胴
９０１、ソプラノサクソフォン
９０２、テナーサクソフォン
９０３、フルート
９０４、吹口
９０５、頭部管
９０６、本管
９０７、足部管
１００１、響き孔
１００２、表板
１００３、側板
１１０１、響き孔
１１０２、表板
１１０３、側板
【図１】
2006112462.tif 000002
【図２】
2006112462.tif 000003
【図３】
2006112462.tif 000004
【図４】
2006112462.tif 000005
【図５】
2006112462.tif 000006
【図６】
2006112462.tif 000007
【図７】
2006112462.tif 000008
【図８】
2006112462.tif 000009
【図９】
2006112462.tif 000010
【図１０】
2006112462.tif 000011
【図１１】
2006112462.tif 000012
【図１２】
2006112462.tif 000013
【図１３】
2006112462.tif 000014
【図１４】
2006112462.tif 000015
【図１５】
2006112462.tif 000016
【図１６】
2006112462.tif 000017
【図１７】
2006112462.tif 000018
【図１８】
2006112462.tif 000019
【図１９】
2006112462.tif 000020
【図２０】
2006112462.tif 000021
【図２１】
2006112462.tif 000022
【図２４】
2006112462.tif 000023
【図２６】
2006112462.tif 000024
【図２２】
2006112462.tif 000025
【図２３】
2006112462.tif 000026
【図２５】
2006112462.tif 000027
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
遠赤外線およびマイナスイオンを発する黒鉛珪石（ブラックシリカ）の微粒子を樹脂中に混練して得られる塗料を、楽器本体の所定箇所に塗着および／または蒸着させたことを特徴とする楽器
【請求項２】
（削除）
【請求項３】
上記黒鉛珪石（ブラックシリカ）の微粒子は、常温にて遠赤外線の放射率が９０〜９９％で、生育光線、健康光線といわれる２ミクロン〜１８ミクロンの波長帯で放射されることを特徴とする上記請求項１に記載の楽器
【請求項４】
上記黒鉛珪石の微粒子の大きさは、１０ミクロン以下であることを特徴とする上記請求項１または３に記載の楽器
【請求項５】
身体に抱え込んで使用することを特徴とする上記請求項１、３および４のいずれか１項に記載の楽器
【請求項６】
身体に密着させて使用することを特徴とする上記請求項１および３乃至５のいずれか１項に記載の楽器
【請求項７】
上記楽器がウクレレまたはマンドリンである、上記請求項１および３乃至６のいずれか１項に記載の楽器
【請求項８】
遠赤外線およびマイナスイオンを発する天然鉱石の微粒子を樹脂中に混練して得られる塗料を楽器本体の所定箇所に塗着および／または蒸着させたことを特徴とする楽器
【請求項９】
上記天然鉱石の微粒子は、常温にて遠赤外線の放射率が９０〜９９％で、生育光線、健康光線といわれる２ミクロン〜１８ミクロンの波長帯で放射されることを特徴とする上記請求項８に記載の楽器
【請求項１０】
上記天然鉱石の大きさは、１０ミクロン以下であることを特徴とする上記請求項８又は９に記載の楽器
【請求項１１】
身体に抱え込んで使用することを特徴とする上記請求項８乃至１０のいずれか１項に記載の楽器
【請求項１２】
身体に密着させて使用することを特徴とする上記請求項８乃至１１のいずれか１項に記載の楽器
【請求項１３】
上記楽器がウクレレまたはマンドリンである、上記請求項８乃至１２のいずれか１項に記載の楽器
【請求項１４】
上記塗料が熱硬化性樹脂を含むことを特徴とする上記請求項１および３乃至１３のいずれか１項に記載の楽器
【請求項１５】
上記塗料が不飽和ポリエステル樹脂を含むことを特徴とする上記請求項１４に記載の楽器
【請求項１６】
上記塗料を前記楽器本体に塗布後、６０℃、２時間で加熱硬化させることによって前記塗料を塗着することを特徴とする上記請求項１および３乃至１５のいずれか１項に記載の楽器
【国際調査報告】
2006112462.tif 000028
2006112462.tif 000029